(57)【特許請求の範囲】
【請求項１】
遊技媒体による遊技が可能な遊技機において、
所定の動きを表現する対象となる対象画像に対して画像処理を施した画像（処理画像）を得る画像処理手段と、
前記対象画像とこの処理画像とを用いた表示制御を行う表示制御手段と、を備え、
前記画像処理手段は、
前記対象画像に対して或るマスクパターンでのマスキングを施した画像を前記処理画像として得る手段であることを特徴とする遊技機。
【請求項２】
請求項１に記載の遊技機において、
前記画像処理手段は、更に、
前記対象画像に対して第２のマスクパターンでのマスキングを施した画像を第２の処理画像として得る手段であり、
前記表示制御手段は、
前記対象画像と前記処理画像と前記第２の処理画像とを重ねたものを所定方向に移動するように表示する手段であることを特徴とする遊技機。
【請求項３】
請求項１および２の内のいずれか一項に記載の遊技機において、
前記画像処理手段は、
１と０とのデジタル値パターンでなるマスクパターンと前記対象画像とを重ね合せたと想定した場合に、１に対応する部分のみの画像データを抽出して前記処理画像を得る手段であることを特徴とする遊技機。
【請求項４】
請求項２および３の内のいずれか一項に記載の遊技機において、
前記表示制御手段は、
前記移動表示する方向に応じた効果音を出力するための制御信号を効果音発生制御手段に送信する手段を備え、
前記効果音発生制御手段は、
受信した制御信号に応じた効果音を出力する手段であることを特徴とする遊技機。
【発明の詳細な説明】
【０００１】
【発明の属する技術分野】
本発明は、パチンコ機、パチスロ機等の遊技媒体を用いた遊技が可能な遊技機における表示制御に関する。
【０００２】
【従来の技術】
近年のこの種の遊技機における表示制御は極めて多彩なものとなっておりキャラクタ等の動きの表現にリアルさも追求されている。例えばキャラクタ等の画像を高速移動しているように表現する場合、彗星の尾のような残像を表現する別画像を用意してこれを移動画像とともに移動させながら高速移動を表現するようにしていた。
【発明が解決しようとする課題】
しかしながら、このような手法にあっては、高速移動表現させたい画像の数だけその彗星の尾のような画像を用意しておかなければならないため画像ＲＯＭの容量上、制限がある場合がある。
【０００３】
そこで、本発明は、このような従来の課題を解決するためになされたものであり、少ない画像データ量で所望の画像表現を実現することを目的とする。
【０００４】
【課題を解決するための手段】
上記目的を達成するために、本発明は、遊技媒体による遊技が可能な遊技機において、
所定の動きを表現する対象となる対象画像に対して画像処理を施した画像（処理画像）を得る画像処理手段と、
前記対象画像とこの処理画像とを用いた表示制御を行う表示制御手段と、を備え、
前記画像処理手段は、
前記対象画像に対して或るマスクパターンでのマスキングを施した画像を前記処理画像として得る手段であることを特徴とするようにした。
【０００５】
この発明においては、所定の動きを表現する対象となる対象画像に対して画像処理を施した画像（処理画像）を得て、前記対象画像とこの処理画像を用いた表示制御を行う。したがって、画像処理を適宜なものとして少ない画像データ量で所望の画像表現を実現することができる。
【０００６】
また、前記画像処理手段は、更に、前記対象画像に対して第２のマスクパターンでのマスキングを施した画像を第２の処理画像として得る手段であり、前記表示制御手段は、前記対象画像と前記処理画像と前記第２の処理画像とを重ねたものを所定方向に移動するように表示する手段としても良い。
【０００７】
さらに、前記画像処理手段は、１と０とのデジタル値パターンでなるマスクパターンと前記対象画像とを重ね合せたと想定した場合に、１に対応する部分のみの画像データを抽出して前記処理画像を得る手段とすれば良い。
【０００８】
そして、前記表示制御手段は、前記移動表示する方向に応じた効果音を出力するための制御信号を効果音発生制御手段に送信する手段を備え、前記効果音発生制御手段は、受信した制御信号に応じた効果音を出力する手段であることを特徴とするようにしても良い。
【０００９】
なお、このような表示制御は、コンピュータ読み取り可能な記録媒体に表示制御プログラムを記録しておき、コンピュータがこの記録媒体に記録した表示制御プログラムを読み取って実行することによって実現できる。このような記録媒体としては、ＲＯＭ、半導体ＩＣ等の半導体記録媒体、ＤＶＤＲＯＭ、ＣＤＲＯＭ等の光記録媒体、フレキシブルディスク等の磁気記録媒体、ＭＯ等の光磁気記録媒体が挙げられる。また、この表示制御プログラムを通信網を介して情報処理装置からダウンロードするようにしても良い。
【００１０】
【発明の実施の形態】
以下、本発明の実施の形態を図面を参照しつつ説明する。先ず制御コマンドを送受信して表示制御を行う遊技機の一般的な構成や動作を説明してから、本発明の主要な動作を説明することによって本発明の理解の容易化を図る。
【００１１】
図１は遊技盤１０の模式的な説明図である。遊技盤１０の略中央部には、３つ（左、中、右）の表示エリアを有していて、各表示エリアにおいて、独立して数字やキャラクタによる図柄で構成される識別情報が変動表示可能である特別図柄表示装置１００が配設されており、その真下には特別図柄始動口１０４が配設されていて、この特別図柄始動口１０４の両側には普通図柄作動ゲート１０２、１０２が配設されている。また、一対の開閉部材１２０、１２０が特別図柄始動口１０４を形成するように離間して開閉可能に設けられている。
【００１２】
さらに、特別図柄始動口１０４の下方には、大入賞口１０６、普通図柄表示装置１０８、アウト口１１４がこの順で配設されており、さらに、特別図柄始動口１０４の両斜め上方にはランプ表示装置１１０、１１０が配設されていると共に、遊技盤１０の両側端部近傍にもランプ表示装置（より具体的にはＬＥＤ装置）１１２、１１２が配設されている。
【００１３】
そして、特別図柄始動口１０４に遊技玉が入賞されて乱数抽選が行われ、この抽選された乱数が大当り値である時には、各表示エリアにおいて少なくとも１つの識別情報の変動表示が開始されその後、当り有効ライン上に所定表示パターン（例えば「７、７、７」）の表示が特別図柄表示装置１００によって行われ、大入賞口１０６が所定パターンで開閉制御されて遊技者にとって有利な大当り遊技状態となる。
【００１４】
また、普通図柄作動ゲート１０２が遊技玉の通過を検出すると、乱数抽選が行われこの抽選された乱数が小当り値である時には、普通図柄表示装置１０８の表示部を所定パターン（例えば「７」や「３」）に表示させ、その後に、開閉部材１２０が開状態となって遊技玉が特別図柄始動口１０４に入賞した場合にも、同様に乱数抽選が行われこの抽選された乱数が大当り値である時には、各表示エリアにおける変動表示が開始されその後、当り有効ライン上に所定表示パターン（例えば「７、７、７」）の表示が特別図柄表示装置１００によって行われ、大入賞口１０６が所定パターンで開閉制御されて遊技者にとって有利な大当り状態となる。一方、入賞されない打玉はアウト口１１４を介して排出される。
【００１５】
図２は、このような遊技の進行状況に応じた遊技機制御が行われる遊技機の主要部のみを示した制御ブロック図である。主制御部２００は、ＣＰＵを内蔵したマイクロプロセッサを搭載していて、後に説明する、特別図柄表示装置１００を制御するための各種のコマンドを、少なくとも含む多種多様な制御コマンドを格納するコマンドデータテーブル領域２０２および一連の遊技機制御手順を記述した制御プログラムや制御データ等の遊技制御プログラムを格納するＲＯＭ２０１とワークエリアが形成されるＲＡＭ２０３とが設けられていて、一体型のワンチップマイコンとなっている。主制御部２００が所定周期でこの遊技制御プログラムを繰り返して実行することによって遊技動作が行われることになる。
【００１６】
主制御部２００には、入力ポート２１０を介して、特別図柄始動口１０４内部に設けられ遊技玉の特別図柄始動口１０４への入賞を検出する特別図柄始動スイッチ３０４、普通図柄作動ゲート１０２の内部に設けられ遊技玉のゲート通過を検出する普通図柄作動スイッチ３０６、および、大入賞口１０６の内部に設けられ遊技玉の大入賞口１０６への入賞を検出する大入賞口スイッチ３０８が接続さされ、主制御部２００は各検出信号を受信可能となっている。
【００１７】
また、主制御部２００には、出力ポート２１５を介して、特別図柄やキャラクタを表示する表示部を３つ有して夫々を独立して可変表示可能でＬＣＤ等で実現される特別図柄表示装置１００、ランプを点灯制御するランプ表示装置１１０、１１２、効果音を発生する効果音発生装置１１６、例えば７セグメント表示デバイスで実現される普通図柄表示装置１０８、始動口の開閉部材１２０を開閉制御するための始動口作動ソレノイド３００、および、大入賞口１０６の幅広な開閉部材を開閉制御するための大入賞口作動ソレノイド３０２が接続され、主制御部２００は各装置を制御するための制御信号を送信可能となっている。
【００１８】
そして、主制御部２００は、特に特別図柄表示装置１００に対しては所定数個の表示制御用のコマンドを所定のタイミングで送信可能となっていて、特別図柄表示装置１００は受け取ったコマンドに基いて、主制御部２００に頼らずに自身内のＣＰＵが細かな表示制御を行うようになっている。さらに主制御部２００から特別図柄表示装置１００へコマンドを送信するのみの一方向通信による通信形態を採っている。
【００１９】
そして、特別図柄始動口１０４への遊技球の入賞に応じて図柄表示演出を行なう特別図柄表示装置１００、この図柄表示演出と共に効果音発生による音出力演出を行う効果音発生装置１１６、および、この図柄表示演出と共に図示しない点灯部の点消灯制御を行って点消灯演出を行なうランプ表示装置１１０（１１２）が演出用周辺装置群を構成している。
【００２０】
また、主制御部２００には、電源供給を行うための電源回路２１２と所定時間毎にリセット信号を出力するリセット回路２１３とが接続されていて、さらに、リセット回路２１３には、主制御部２００から周期的タイマカウンタによって生成されたパルス信号が入力されると共に、電源回路２１２からの電流供給状況を監視するためのモニタ信号が入力される。
【００２１】
さて、図１２に示すように、主制御部２００から特別図柄表示装置１００に送られる表示制御用のコマンドは、コマンドの分類を識別するための識別子で１バイト長のデジタル情報であるモード（ＭＯＤＥ）と、実行されるコマンドの内容（機能）を示す１バイト長のデジタル情報であるイベント（ＥＶＥＮＴ）とでなっており、図６乃至図９は、ＲＯＭ２０１に格納されたコマンドデータテーブル領域２０２上の表示制御用コマンドデータの一部を示している。
【００２２】
図６乃至図９に示すように、表示制御用のコマンドには、「特別図柄を変動させるとともに、変動パターンを指定するためのコマンド（第１のコマンド）」、「特別図柄左の停止図柄を指定するコマンド（第２のコマンド）」、「特別図柄中の停止図柄を指定するコマンド（第２のコマンド）」、「特別図柄右の停止図柄を指定するコマンド（第２のコマンド）」、「特別図柄を停止させるためのコマンド（第３のコマンド）」がある。なお、第１のコマンドには図柄をどのようなパターンで変動表示させるか、キャラクタをどのようなパターンで表示演出させるか等の変動パターンを指定する情報を含んだコマンドとなっている。主制御部２００は、図柄変動表示を開始させるような遊技状況となったときこれらの５つのコマンドを１回の変動表示制御において所定のタイミングで特別図柄表示装置１００に送信する。
【００２３】
図３は、特別図柄表示装置１００のブロック構成図である。特別図柄表示装置１００は、主制御部２００からのストローブ信号やコマンドを受信するためのデータ受信回路１１４０（データレベルを変換する電圧変換回路を含む）と、この電圧変換回路等に電源供給を行う電源回路１１６０と、受信したコマンドに基づいて表示制御を行うために必要な制御データを生成して画像処理用ＬＳＩ（ＶＤＰ）１０６０に出力するＣＰＵ１０２０（表示制御手段）と、ＣＰＵ１０２０の動作手順を記述したプログラムを内蔵するプログラムＲＯＭ１０４０と、ワークエリアやバッファメモリとして機能するＲＡＭ１０９０と、画像展開処理を行う画像処理用ＬＳＩ（ＶＤＰ）１０６０と、画像処理用ＬＳＩ（ＶＤＰ）１０６０が展開した画像データを一時的に記憶するビデオＲＡＭ１０８０と、画像処理用ＬＳＩ（ＶＤＰ）１０６０が画像展開するために必要なデータを格納したキャラクタＲＯＭ１１８０と、ビデオＲＡＭ１０８０に一時的に記憶された画像データを受け取って送出するＬＣＤパネル用インターフェイス回路１１００と、このＬＣＤパネル用インターフェイス回路１１００から送出された画像データを用いて表示画像を出力するＬＣＤパネル１１２０とを有している。
【００２４】
図４（ａ）に示すように、キャラクタＲＯＭ１１８０は、ＲＯＭタイトル領域、ＲＯＭ管理情報領域、実際のキャラクタデータを格納したキャラクタイメージデータ領域、キャラクタの色彩データを格納したパレットデータ領域、および、キャラクタの動きを定義した情報を格納したシナリオデータ領域を有していて、キャラクタデータは、特定の圧縮方法で圧縮された状態でキャラクタイメージデータ領域に格納されており、さらに、図４（ｂ）に示すように、パレットデータ領域は、色番号とカラーコードとが対となったものが複数種類格納されている。
【００２５】
そして、特別図柄表示装置１００のＣＰＵ１０２０は、データ受信回路１１４０が受信したコマンドに応じて生成した制御データを画像処理用ＬＳＩ（ＶＤＰ）１０６０に与えると、画像処理用ＬＳＩ（ＶＤＰ）１０６０は、キャラクタイメージデータ領域から獲得したキャラクタデータを解凍してパレットデータ領域から獲得した色彩データで色付けして、シナリオデータ領域から獲得した情報で指定されたビデオＲＡＭ１０８０上の位置に画像展開したデータを一時的に格納し、一時的に格納したデータをＬＣＤパネル用インターフェイス回路１１００に送ることによって、ＬＣＤパネル１１２０によって、変動表示速度変化等を含む様々な画像表示が細かに行われる。
【００２６】
また、図５は、コマンド送受信タイミングを示したタイミングチャートである。前述したように、コマンドは１バイト長のモード（ＭＯＤＥ）と、同じく１バイト長のイベント（ＥＶＥＮＴ）からなっていて、この例では、主制御部２００は、コマンド変化時に自身が生成するストローブ信号（ＤＵＳＴＢ）の１つ目の立ち上がりを契機として、モード（ＭＯＤＥ）情報を送信し、次いでストローブ信号（ＤＵＳＴＢ）の２つ目の立ち上がりを契機として、イベント（ＥＶＥＮＴ）情報を送信する。すると、これに対応して、特別図柄表示装置のＣＰＵ１０２０は、ストローブ信号（ＤＵＳＴＢ）が送信されてくると割り込みを発生させ、この割り込み処理によってコマンドを受信してＲＡＭ１０９０に格納する。
【００２７】
次に、先ず、主制御部２００や特別図柄表示装置１００のＣＰＵ１０２０が行う通常の制御動作を図１０（遊技制御のゼネラルフローチャート）や図１１を参照して説明し、その後、本発明の特徴的な表示制御について説明して本発明の理解の容易化に努める。なお、図１０に示す一連の処理は主制御部２００がＲＯＭ２０１に格納されている図示しない遊技制御プログラムを実行することによって行われる。より具体的には、リセット回路２１３から所定時間（例えば４ｍｓｅｃ）毎に供給されるリセット信号をトリガとして先頭のステップから実行され、この一連の処理が繰り返し実行されるようになっている。
【００２８】
先ず、図示しない電源スイッチによって電源回路２１２を起動状態とすると主制御部２００が起動状態となるが、この電源投入が行われてから初めての処理が実行されたか否かを判定する（ステップＳ１１０）。電源投入後、初めての処理の場合には（Ｙｅｓ）ステップＳ２００に移行する一方、これ以外の場合には（Ｎｏ）ステップＳ１２０に移行する。
【００２９】
ステップＳ２００では、ＲＡＭ２０３の初期化処理として記憶エリアのクリア処理を実行し、次いで、ステップＳ２１０では、初期制御処理を行うためのデータをＲＡＭ２０３の所定の領域にセットする。一方、ステップＳ１２０では、ＲＡＭ２０３内に形成される図示しない、大当り判定用、小当り判定用等の各種の乱数生成用ループカウンタのカウント値をインクリメントし、ステップＳ１３０では、遊技機制御に用いる各種のタイマのタイマ値を更新する。したがって、電源初期投入時にはＲＡＭクリア、初期データセット処理等のイニシャライズが行われて、主制御部２００のスタック領域に所定スタック値がスタックされる一方、電源初期投入時ではない場合にも各種乱数更新等のイニシャライズが行われ、これに対応する第２の所定スタック値が、主制御部２００のスタック領域にスタックされる。
【００３０】
次に、ステップＳ１４０において、特別図柄始動スイッチ３０４、普通図柄作動スイッチ３０６、大入賞口スイッチ３０８が出力した検出信号を入力ポート２１０を介して図示しない自身内のレジスタに読み込み格納する入力ポート処理を実行し、次いで、ステップＳ１５０に移行してポート入力処理で読み込み格納したデータを把握するためのスイッチチェック処理を実行する。
【００３１】
次に、ステップＳ１６０にて各スイッチ３０４、３０６、３０８等の断線や短絡の有無のチェックを行い、これらの障害が発生している場合には（Ｙｅｓ）ステップＳ２２０に移行する一方、これ以外の場合には（Ｎｏ）ステップＳ１８０に移行する（ステップＳ１７０）。
【００３２】
そして、ステップＳ１８０において、普通図柄表示装置１０８の表示制御に必要なデータをＲＡＭ２０３の所定領域に格納すると共に、特別図柄表示装置１００の表示制御に必要なコマンド（先に図６乃至図９にて説明したコマンドを含む）をＲＡＭ２０３の所定領域に格納して、前記各種のタイマのタイマ値を減じる（ステップＳ１９０）。なお、ステップＳ１８０において、主制御部２００は、遊技制御に応じて必要なモード、イベントのコマンドをコマンドデータテーブル領域２０２を参照して決定し、決定したモード、イベントを示すデジタル情報をＲＡＭ２０３の所定エリアに格納する。
【００３３】
次に、ステップＳ１９５において、大入賞口１０６と特別図柄始動口１０４の開閉部材１２０とを所定パターンで開閉制御するために、始動口作動ソレノイド３００と大入賞口作動ソレノイド３０２とを駆動制御し、次いで、ステップＳ２２０において、図示しない賞球払出装置に払出し動作を行わせるための制御情報を出力するための賞球セット処理を実行し、さらにステップＳ２３０、２４０、２５０において、図示しない遊技機管理装置に各種の遊技データを出力する外部情報処理、ランプ表示装置１１０、１１２を遊技状態に対応させて点灯制御するためのコマンドをＲＡＭ２０３の所定エリアに格納する表示灯制御処理、効果音発生装置１１６を遊技状態に対応させて効果音発生制御するためのコマンドをＲＡＭ２０３の所定エリアに格納する効果音処理を実行する。
【００３４】
次に、ステップＳ２６０では、各処理でＲＡＭ２０３に格納したデータを出力ポート２１５を介して対応する装置に出力し（ポート出力処理）、これを受け取った装置側はこれに基づいた制御動作を行う。そして、特別図柄表示装置１００に対して、先ず、ストローブ信号を出力し、ステップＳ１８０にてＲＡＭ２０３に格納されたモード、イベントのデータを先に図５に示したようにして送信する。これによって、特別図柄表示装置１００には、例えば図６乃至図９にて示したコマンドが主制御部２００から送信され受信することになる。
【００３５】
ステップＳ２７０では、リセット回路２１３からリセット信号が入力されるまでリセット待機処理を実行すると共に、リセット信号が入力された場合にはステップＳ１１０に移行して遊技機制御を継続する。なお、このリセット待機処理としては、先に述べた各種の乱数生成用のカウンタの更新等が挙げられる。
【００３６】
次に、コマンドを受け取った特別図柄表示装置１００のＣＰＵ１０２０の動作について、図１１を参照しつつ説明する。まず、ステップＳ１１００において、ＣＰＵ１０２０は自身のスタックポインタの設定、ＲＡＭ１０９０の初期化、レジスタクリア等の自身の初期化等を行いステップＳ１１０２において、新しいコマンドが入力されたか否かを判断する。新たな表示制御のためのコマンドが入力されたと判断された場合には（Ｙｅｓ）ステップＳ１１０４に移行する一方、これ以外の場合には（Ｎｏ）ステップＳ１１１０に移行する。
【００３７】
ステップＳ１１０４では、図５において説明した割り込み処理において、データ受信回路１１４０が受信したコマンドをＲＡＭ１０９０にコピーし、コマンドが正常か否かのチェック等を行う。次に、ＣＰＵ１０２０は、主制御部２００とは独立して細かな表示制御を行うための必要なコマンドを得るべく、処理テーブル（図示せず）の先頭アドレスを決定し、次いでステップＳ１１０８において、画像処理用ＬＳＩ１０６０へ出力するためにＲＡＭ１０９０の必要なエリアのデータを更新する。
【００３８】
次に、ステップＳ１１１０において、ＲＡＭ１０９０にセットされている図柄制御用データに基づいて、画像処理用ＬＳＩ１０６０へ出力するためのスクロールデータを求めてＲＡＭ１０９０にセットし、図柄表示位置を設定し、次いで、ステップＳ１１１２において、図柄速度制御に必要なデータを、プログラムＲＯＭ１０４０に内蔵されている速度テーブル（図示せず）から取得してＲＡＭ１０９０にセットし、次にステップＳ１１１４において、速度データに基づいて図柄オフセット値を更新し、設定された速度で図柄変動を行うための準備を行う。
【００３９】
次に、ステップＳ１１１６において、ＲＡＭ１０９０にセットされているアニメーション処理用データが格納されているアニメーション処理用テーブル（図示せず）からアニメーションデータを取得し背景画像の表示のための準備を行い、ＲＡＭ１０９０内のＶＤＰ出力用バッファにセットし、出力許可フラグが「１」か否かを判断する（ステップＳ１１１８）。
【００４０】
そして、出力許可フラグが「１」でない場合（Ｎｏ）にはステップＳ１１０２に戻って一連の処理を繰り返す一方、出力許可フラグが「１」の場合（Ｙｅｓ）にはステップＳ１１２０にて、ＶＤＰ出力用バッファにセットされているデータを画像処理用ＬＳＩ１０６０に出力する。画像処理用ＬＳＩ１０６０はこれに応じてキャラクタＲＯＭ１１８０のデータを獲得して画像展開し、画像展開されたデータはビデオＲＡＭ１０８０に一時的に記憶された後、ＬＣＤパネル用インターフェイス回路１１００に送られＬＣＤパネル１１２０による画像表示が行われる。このようにして、特別図柄表示装置１００における設定された表示位置において、設定された速度での図柄変動表示や背景画像の表示等が行われる。
【００４１】
図１３、図１４は主制御部２００から特別図柄表示装置１００へ送信するコマンドの送信タイミングの一例、送信コマンドの説明図であり、これらの図を参照すれば分かるように、主制御部２００は、特別図柄始動口１０４に遊技球が入賞した等の所定の条件が満足されると、まず、「図柄変動を開始させるとともに変動パターンを指定するためのコマンドを送信し（▲１▼）、これからＴ１時間経過後に左停止図柄を指定するためのコマンドを送信し（▲２▼）、これからＴ２時間経過後に中停止図柄を指定するためのコマンドを送信し（▲３▼）、これからＴ３時間経過後に右停止図柄を指定するためのコマンドを送信し（▲４▼）、そして、変動開始からＴ時間経過後に全図柄を停止させるためのコマンド（▲５▼）を送信し、さらに、これらのコマンドを受信した特別図柄表示装置１００のＣＰＵ１０２０は、コマンド▲５▼を受信する前に、変動速度変化等の細かな表示制御を行って一連の変動表示制御を行い、変動開始からＴ時間経過後に変動表示制御を終了する。
【００４２】
（本発明の主要部）
図３のキャラクタＲＯＭ１１８０の或る領域には、図１７に示すような対象画像１６００、マスク１（１６１０）、マスク２（１６２０）が格納されている。図１６は、対象画像１６００に対してマスキングを施すためのマスクパターンとしてのマスク１６１０の説明図である。このマスクは０と１のデジタル値を或るパターンで設けた所定形状例えば正方形のものである。そして、ＣＰＵ１０２０は、このマスク１６１０の中心位置と対象画像１６００の中心位置とが対応するように両者を重ね合せたと想定した場合にデジタル値で１に対応する部分のみを対象画像１６００から抽出して残像１（１６３０）を得る。図１６に示すように、マスク１６１０は、横方向に１が揃う１の列と横方向に０が揃う０の列とを縦方向に交互に配置して形成されている。
【００４３】
また、マスク１６２０は、マスク１６１０と同様に横方向に１が揃う１の列と横方向に０が揃う０の列とを縦方向に交互に配置して形成されているが、その縦方向における列毎の配置間隔がより広くされている。かくして、図１７に示すようにして、ＣＰＵ１０２０は、対象画像１６００に対してマスク１６１０を用いて残像１（１６３０）を生成し、対象画像１６００に対してマスク１６２０を用いて残像２（１６４０）を生成する。
【００４４】
さて、所定の変動パターンを指定する変動パターン指定コマンドを得たＣＰＵ１０２０（表示制御手段）は、図１５のステップＳ１５００において演出を開始すべく、対象画像１６００に対してマスク１（１６１０）、マスク２（１６２０）による前述した画像処理を施して残像１（１６３０）、残像２（１６４０）を得る。
【００４５】
そして、ステップＳ１５１０において、図１８に示すうように、ＬＣＤパネル１１２０上の表示画面１１２１において、対象画像１６００の下に残像１（１６３０）が重なり、更に、この残像１（１６３０）の下に残像２（１６４０）が重なるようにこれらを重ねて表示したものを、符号Ａに示すように図中右から左に移動するように表示する。そして、ＣＰＵ１０２０は、この演出を効果的に行うため移動表示開始から、移動表示させたものが表示画面１１２１上から消滅するまでの間には図柄を表示画面１１２１に表示しない。
【００４６】
なお、この例では残像を対象画像１６００に重ね合わせてあたかも尾を引いて移動するように演出を行うようにしているが、異なるマスクを使用して残像以外のものを生成しこれを対象画像１６００に重ねて高速移動等を表現するようにして良い。
【００４７】
したがって、この実施形態によれば、ＣＰＵ１０２０は、所定の動きを表現する対象となる対象画像１６００に対して画像処理を施した画像（処理画像）を得て、対象画像１６００にこの処理画像を重ねたものを所定方向に移動するように表示するので、画像処理を適宜なものとして少ない画像データ量で所望の画像表現を実現することができる。
【００４８】
しかも、ＣＰＵ１０２０は、対象画像１６００に対して或るマスクパターンでのマスキングを施した画像を処理画像として得るので画像処理は簡素なものとなり、また、ＣＰＵ１０２０は、更に、対象画像１６００に対して第２のマスクパターンでのマスキングを施した画像を第２の処理画像として得て、対象画像１６００と処理画像と第２の処理画像とを重ねたものを所定方向に移動するように表示するので一層特異な表現を実現できる。
【００４９】
さらに、ＣＰＵ１１０２０は、１と０とのデジタル値パターンでなるマスクと対象画像１６００とを重ね合せたと想定した場合に、１に対応する部分のみの画像データを抽出して処理画像を得るので構成は極めて簡素である。
【００５０】
（他の実施形態）
図１９はこの他の実施形態の主要な構成部の説明図である。効果音発生装置１１６は、ＣＰＵ１９００（効果音発生制御手段）と、音声合成ＬＳＩ１９１０と、スピーカー１９２０とを備えていて、ＣＰＵ１０２０からの制御信号を受信したＣＰＵ１９００がこれに応答した駆動態様で音声合成ＬＳＩ１９１０を駆動制御することによってスピーカー１９２０からは所要の音声信号が出力されるように構成されている。なお、ＣＰＵ１９００を動作させるためのプログラムを記録したＲＯＭは図示していない。
【００５１】
図２０に示すように、ＣＰＵ１０２０は、対象画像１６００が図中右から左に移動する場合にはパターン１コマンド、対象画像１６００が図中左から右に移動する場合にはパターン２コマンド、対象画像１６００が図中下から上に移動する場合にはパターン３コマンド、対象画像１６００が図中上から下に移動する場合にはパターン４コマンドをＣＰＵ１９００に送信する。
【００５２】
そして、ＣＰＵ１９００はコマンド毎に異なるような効果音出力がされるように音声合成ＬＳＩ１９１０を駆動するので、対象画像１６００の移動方向に応じて異なる効果音がスピーカー１９２０から出力されることになる。
【００５３】
したがってこの他の実施形態によれば、ＣＰＵ１０２０は、移動表示する方向に応じた効果音を出力するための制御コマンドをＣＰＵ１９００（効果音発生制御手段）に送信し、ＣＰＵ１９００は、受信した制御コマンドに応じた効果音を出力するので移動方向と出力される効果音とが対応付けて把握されて演出効果が一層増す。
【００５４】
以上本発明の実施の形態について説明したが、本発明の要旨を逸脱しない範囲内で上記実施形態に種々の変形や変更を施すことが可能となる。例えば、対象画像１６００を丸型以外の形状の画像とすること、等が挙げられる。
【００５５】
なお、以上の説明では、遊技機としてパチンコ機を例にとり説明してきたが、パチスロ機はもちろんのこと、遊技媒体を用いた他の遊技機に対しても適用可能であることはいうまでもない。
【発明の効果】
以上説明したように、本発明によれば、画像処理を適宜なものとして少ない画像データ量で所望の画像表現を実現することができるという効果が得られる。
【図面の簡単な説明】
【図１】遊技盤１０の模式的な説明図である。
【図２】遊技機の制御ブロック図である。
【図３】各種抽選結果表示装置１００のブロック構成図である。
【図４】キャラクタＲＯＭメモリマップ、パレットデータの説明図である。
【図５】コマンド送受信のタイミングを示すタイミングチャートである。
【図６】コマンドデータテーブル領域２０２に格納されるコマンドの説明図である。
【図７】コマンドデータテーブル領域２０２に格納されるコマンドの説明図である。
【図８】コマンドデータテーブル領域２０２に格納されるコマンドの説明図である。
【図９】コマンドデータテーブル領域２０２に格納されるコマンドの説明図である。
【図１０】遊技機の遊技制御動作を説明するためのゼネラルフローチャートである。
【図１１】各種抽選結果表示装置１００のＣＰＵ１０２０の制御動作を説明するためのフローチャートである。
【図１２】コマンドのデータ構造の説明図である。
【図１３】図柄表示のためのコマンド送信タイミングを示すタイミングチャートである。
【図１４】コマンド送信を説明するための説明図である。
【図１５】本発明の実施形態の動作の説明図である。
【図１６】マスク１（２）の説明図である。
【図１７】本発明の実施形態の動作の説明図である。
【図１８】表示の様子の説明図である。
【図１９】ＣＰＵ１０２０からの効果音出力制御コマンドを受信する効果音発生装置１１６のブロック構成図である。
【図２０】効果音出力制御コマンドの説明図である。
【符号の説明】
１０  遊技盤
１００  特別図柄表示装置
１０２  普通図柄作動ゲート
１０４  特別図柄始動口
１０６  大入賞口
１１０  ランプ表示装置
１１２  ランプ表示装置
１１４  アウト口
１１６  効果音発生装置
１２０  開閉部材
２００  主制御部
２０１  ＲＯＭ
２０２  コマンドデータテーブル領域
２０３  ＲＡＭ
２１０  入力ポート
２１３  リセット回路
２１２  電源回路
２１５  出力ポート
３００  始動口作動ソレノイド
３０２  大入賞口作動ソレノイド
３０４  特別図柄始動スイッチ
３０６  普通図柄作動スイッチ
３０８  大入賞口スイッチ
１０２０  ＣＰＵ
１０４０  プログラムＲＯＭ
１０６０  画像処理用ＬＳＩ
１０８０  ビデオＲＡＭ
１０９０  ＲＡＭ
１１００  ＬＣＤパネル用インターフェイス回路
１１２０  ＬＣＤパネル
１１４０  データ受信回路
１１６０  電源回路
１１８０  キャラクタＲＯＭ
１９００  ＣＰＵ
１９１０  音声合成ＬＳＩ
１９２０  スピーカー
【図１】
0003539933.tif 000002
【図２】
0003539933.tif 000003
【図３】
0003539933.tif 000004
【図４】
0003539933.tif 000005
【図５】
0003539933.tif 000006
【図６】
0003539933.tif 000007
【図７】
0003539933.tif 000008
【図８】
0003539933.tif 000009
【図９】
0003539933.tif 000010
【図１０】
0003539933.tif 000011
【図１１】
0003539933.tif 000012
【図１２】
0003539933.tif 000013
【図１３】
0003539933.tif 000014
【図１４】
0003539933.tif 000015
【図１５】
0003539933.tif 000016
【図１６】
0003539933.tif 000017
【図１７】
0003539933.tif 000018
【図１８】
0003539933.tif 000019
【図１９】
0003539933.tif 000020
【図２０】
0003539933.tif 000021